(57)【要約】【課題】圧縮機の破損又は室内ユニットにおけるドレン水のあふれを抑制する。【解決手段】空調システム１００は、冷媒サイクルＲＣと、給電ユニット４０と、コントローラ６０と、判断部９０と、を備える。冷媒サイクルＲＣは、室外ユニット１０、及び複数の室内ユニット３０を含む。室外ユニット１０は、圧縮機１１を含む。給電ユニット４０は、複数の室内ユニット３０の少なくとも一部への電源が遮断される場合に、少なくとも一部へ補助電源の供給を行う。コントローラ６０は、少なくとも圧縮機１１を制御する。判断部９０は、複数の室内ユニット１０の少なくとも一部への電源が遮断される場合に、圧縮機１１を停止させる、及び、圧縮機１１に運転を継続させる、の一方の判断を行う。判断部９０は、判断に対応する指令をコントローラ６０に送る。【選択図】図１
2020197370.tif 000002
【特許請求の範囲】
【請求項１】
圧縮機（１１）を含む室外ユニット（１０）、及び複数の室内ユニット（３０）を含む冷媒サイクル（ＲＣ）と、
複数の前記室内ユニットの少なくとも一部への電源が遮断される場合に、前記少なくとも一部へ補助電源の供給を行う給電ユニット（４０）と、
少なくとも前記圧縮機を制御するコントローラ（６０）と、
複数の前記室内ユニットの前記少なくとも一部への電源が遮断される場合に、
前記圧縮機を停止させる、及び、
前記圧縮機に運転を継続させる、
の一方の判断を行い、前記判断に対応する指令を前記コントローラに送る判断部（９０）と、
を備える、
空調システム。
【請求項２】
前記判断部は、
前記圧縮機が吸入する冷媒の湿り度合又は前記湿り度合いの予測、及び
前記複数の室内ユニットの前記少なくとも一部におけるドレン水量又は前記ドレン水量の予測、
の少なくとも一方に基づいて前記判断を行う、
請求項１に記載の空調システム。
【請求項３】
前記判断部は、
前記複数の室内ユニットの前記少なくとも一部における前記ドレン水量又は前記ドレン水量の前記予測、及び、
前記給電ユニットの給電容量、
に基づいて前記判断を行う、
請求項２に記載の空調システム。
【請求項４】
前記コントローラは、少なくとも前記圧縮機に、前記冷媒サイクルにおける油戻し運転又はデフロスト運転を実行させ、
前記判断部は、前記給電ユニットが前記少なくとも一部に前記補助電源を供給する場合において、前記油戻し運転又は前記デフロスト運転を継続するか否かを判断する、
請求項１から３のいずれか１項に記載の空調システム。
【請求項５】
前記コントローラが前記冷媒サイクルに前記油戻し運転を実行させている際に、前記判断部が前記油戻し運転を継続しないと判断する場合、前記コントローラは前記圧縮機を停止させる、
請求項４に記載の空調システム。
【請求項６】
前記コントローラは、前記圧縮機が吸入する冷媒の湿り度合に基づいて、前記圧縮機を停止させる、
請求項５に記載の空調システム。
【請求項７】
複数の前記室内ユニットの各々は膨張弁（３２）を含み、
前記コントローラは、複数の前記室内ユニットを少なくとも２つのグループ（Ｇ１、Ｇ２）に分け、
前記コントローラが前記冷媒サイクルに前記油戻し運転を実行させている際に、前記判断部が前記油戻し運転を継続すると判断する場合、前記コントローラは、
第１グループ（Ｇ１）に属する前記室内ユニットの前記膨張弁を閉じ、かつ、第２グループ（Ｇ２）に属する前記室内ユニットの前記膨張弁を開ける、第１グループ閉鎖制御と、
前記第１グループに属する前記室内ユニットの前記膨張弁を開け、かつ、前記第２グループに属する前記室内ユニットの前記膨張弁を閉じる、第２グループ閉鎖制御と、
を順に実行する、
請求項４に記載の空調システム。
【請求項８】
前記室外ユニットは、四路切換弁（１２）をさらに含み、
前記コントローラが前記冷媒サイクルに前記デフロスト運転を実行させている際に、前記判断部が前記デフロスト運転を継続しないと判断する場合、前記コントローラは前記圧縮機を停止させる、
請求項４から７のいずれか１項に記載の空調システム。
【請求項９】
前記室外ユニットは、四路切換弁（１２）をさらに含み、
前記コントローラが前記冷媒サイクルに前記デフロスト運転を実行させている際に、前記判断部が前記デフロスト運転を継続すると判断する場合、前記コントローラは前記四路切換弁を切り替える、
請求項７に記載の空調システム。
【請求項１０】
前記コントローラが前記四路切換弁を切り替える際、複数の前記膨張弁の少なくとも１つが開かれており、前記圧縮機は運転している、
請求項９に記載の空調システム。
【発明の詳細な説明】
【技術分野】
【０００１】
一部の室内機の電源が遮断されても空調運転をすることができる空調システム。
【背景技術】
【０００２】
特許文献１（特開２０１３−４０６９８号公報）には、一部の室内機の電源が遮断されても空調運転をすることができる空気調和機が開示されている。
【発明の概要】
【発明が解決しようとする課題】
【０００３】
空調システムにおいて、電源が遮断された室内機に対して電源を供給するために、給電ユニットが設置されることがある。しかし、そのような給電ユニットが供給できる電力には制限がある。室外ユニットにおける圧縮機の破損、又は、室内ユニットにおけるドレン水のあふれなどの問題が発生するおそれがある。
【課題を解決するための手段】
【０００４】
第１観点に係る空調システムは、冷媒サイクルと、給電ユニットと、コントローラと、判断部と、を備える。冷媒サイクルは、室外ユニット、及び複数の室内ユニットを含む。室外ユニットは、圧縮機を含む。給電ユニットは、複数の室内ユニットの少なくとも一部への電源が遮断される場合に、少なくとも一部へ補助電源の供給を行う。コントローラは、少なくとも圧縮機を制御する。判断部は、複数の室内ユニットの少なくとも一部への電源が遮断される場合に、圧縮機を停止させる、及び、圧縮機に運転を継続させる、の一方の判断を行う。判断部は、判断に対応する指令をコントローラに送る。
【０００５】
第２観点に係る空調システムは、第１観点に係る空調システムにおいて、判断部が、圧縮機が吸入する冷媒の湿り度合又は湿り度合いの予測、及び、複数の室内ユニットの少なくとも一部におけるドレン水量又はドレン水量の予測、の少なくとも一方に基づいて判断を行う。
【０００６】
第３観点に係る空調システムは、第２観点に係る空調システムにおいて、判断部が、複数の室内ユニットの少なくとも一部におけるドレン水量又はドレン水量の予測、及び、給電ユニットの給電容量、に基づいて判断を行う。
【０００７】
第４観点に係る空調システムは、第１観点から第３観点のいずれか１つに係る空調システムにおいて、コントローラが、少なくとも圧縮機に、冷媒サイクルにおける油戻し運転又はデフロスト運転を実行させる。判断部は、給電ユニットが少なくとも一部に補助電源を供給する場合において、油戻し運転又はデフロスト運転を継続するか否かを判断する、
請求項１から３のいずれか１項に記載の空調システム。
【０００８】
第５観点に係る空調システムは、第４観点に係る空調システムにおいて、コントローラが冷媒サイクルに油戻し運転を実行させている際に、判断部が油戻し運転を継続しないと判断する場合、コントローラは圧縮機を停止させる。
【０００９】
第６観点に係る空調システムは、第５観点に係る空調システムにおいて、コントローラは、圧縮機が吸入する冷媒の湿り度合に基づいて、圧縮機を停止させる。
【００１０】
第７観点に係る空調システムは、第４観点に係る空調システムにおいて、複数の室内ユニットの各々は膨張弁を含む。コントローラは、複数の室内ユニットを少なくとも２つのグループに分ける。コントローラが冷媒サイクルに油戻し運転を実行させている際に、判断部が油戻し運転を継続すると判断する場合、コントローラは、第１グループ閉鎖制御と、第２グループ閉鎖制御と、を順に実行する。第１グループ閉鎖制御では、第１グループに属する室内ユニットの膨張弁を閉じ、かつ、第２グループに属する室内ユニットの膨張弁を開ける。第２グループ閉鎖制御では、第１グループに属する室内ユニットの膨張弁を開け、かつ、第２グループに属する室内ユニットの膨張弁を閉じる。
【００１１】
第８観点に係る空調システムは、第４観点から第７観点のいずれか１つに記載の空調システムにおいて、室外ユニットは、四路切換弁をさらに含む。コントローラが冷媒サイクルにデフロスト運転を実行させている際に、判断部がデフロスト運転を継続しないと判断する場合、コントローラは圧縮機を停止させる。
【００１２】
第９観点に係る空調システムは、第７観点に係る空調システムにおいて、室外ユニットは、四路切換弁をさらに含む。コントローラが冷媒サイクルにデフロスト運転を実行させている際に、判断部がデフロスト運転を継続すると判断する場合、コントローラは四路切換弁を切り替える。
【００１３】
第１０観点に係る空調システムは、第９観点に係る空調システムにおいて、コントローラが四路切換弁を切り替える際、複数の膨張弁の少なくとも１つが開かれており、圧縮機は運転している。
【図面の簡単な説明】
【００１４】
【図１】一実施形態に係る空調システム１００の概略構成図である。
【図２】空調システム１００全体の運転の制御フローを表す図である。
【図３】油戻し運転中のＭ／Ｔ制御のフローチャートである。
【図４】デフロスト運転中のＭ／Ｔ制御のフローチャートである。
【図５】変形例Ａに係る空調システム１００の概略構成図である。
【図６】変形例Ａにおける油戻し運転中のＭ／Ｔ制御のフローチャートである。
【図７】変形例Ｂにおけるデフロスト運転中のＭ／Ｔ制御のフローチャートである。
【図８】変形例Ｃに係る空調システム１００の概略構成図である。
【図９】変形例Ｄにおける空調システム１００の運転中のＭ／Ｔ制御のフローチャートである。
【発明を実施するための形態】
【００１５】
（１）空調システム１００の構成
図１は、本実施形態の空調システム１００の概略構成図である。空調システム１００は、家屋、ビル、工場又は公共施設等の建物内に含まれる対象空間において冷房及び暖房等の空気調和を実現するシステムである。
【００１６】
空調システム１００は、冷媒が循環する冷媒回路ＲＣを含む。空調システム１００は、冷媒回路ＲＣにおいて冷媒を循環させて蒸気圧縮方式の冷凍サイクルを行うことにより、対象空間の冷房又は暖房を行う。冷媒回路ＲＣには、Ｒ４１０Ａ、Ｒ３２又はアンモニア等の冷媒が封入されている。
【００１７】
空調システム１００は、主として、熱源ユニットとしての１台の室外ユニット１０と、利用ユニットとしての複数台（図１では３台）の室内ユニット３０（３０ａ，３０ｂ，３０ｃ）と、１台の給電ユニット４０と、複数台（図１では３台）のリモコン５０と、コントローラ６０とを備えている。空調システム１００の冷媒回路ＲＣは、室外ユニット１０と各室内ユニット３０とがガス連絡配管ＧＰ及び液連絡配管ＬＰによって接続されることで構成されている。言い換えると、空調システム１００は、同一冷媒系統に複数の室内ユニット３０が接続された、マルチタイプ（マルチテナント）の空調システムである。
【００１８】
（１−１）室外ユニット１０
室外ユニット１０は、室外（対象空間外）に設置される室外機である。室外ユニット１０は、主として、複数の冷媒配管（第１配管Ｐ１〜第５配管Ｐ５）と、圧縮機１１と、四路切換弁１２と、室外熱交換器１３と、室外ファン１５と、室外ユニット制御部１７と、判断部９０と、を有している。
【００１９】
第１配管Ｐ１は、ガス連絡配管ＧＰと四路切換弁１２とを接続する冷媒配管である。第２配管Ｐ２は、四路切換弁１２と圧縮機１１の吸入ポート（図示省略）とを接続する吸入配管である。第３配管Ｐ３は、圧縮機１１の吐出ポート（図示省略）と四路切換弁１２とを接続する吐出配管である。第４配管Ｐ４は、四路切換弁１２と室外熱交換器１３のガス側とを接続する冷媒配管である。第５配管Ｐ５は、室外熱交換器１３の液側と液連絡配管ＬＰとを接続する冷媒配管である。
【００２０】
圧縮機１１は、低圧のガス冷媒を吸入し、圧縮して吐出する機構である。圧縮機１１は、圧縮機モータ１１ａが内蔵された密閉式の構造を有している。圧縮機１１では、圧縮機ケーシング（図示省略）内に収容されたロータリ式又はスクロール式等の圧縮要素（図示省略）が、圧縮機モータ１１ａを駆動源として駆動される。圧縮機モータ１１ａは、運転中、インバータ制御され、状況に応じて回転数が調整される。圧縮機１１は、駆動時に、吸入ポートから冷媒を吸入し、圧縮し、吐出ポートから吐出する。
【００２１】
四路切換弁１２は、冷媒回路ＲＣにおいて冷媒の流れる方向を切り換えるための弁である。四路切換弁１２は、第１配管Ｐ１、第２配管Ｐ２、第３配管Ｐ３及び第４配管Ｐ４と個別に接続されている。四路切換弁１２は、冷房運転時には、第１配管Ｐ１と第２配管Ｐ２とが接続されるとともに、第３配管Ｐ３と第４配管Ｐ４とが接続されるように、流路を切り換える（図１の四路切換弁１２の実線を参照）。四路切換弁１２は、暖房運転時には、第１配管Ｐ１と第３配管Ｐ３とが接続されるとともに、第２配管Ｐ２と第４配管Ｐ４とが接続されるように、流路を切り換える（図１の四路切換弁１２の破線を参照）。
【００２２】
室外熱交換器１３は、冷房運転時には冷媒の凝縮器又は放熱器として機能し、暖房運転時には冷媒の蒸発器又は吸熱器として機能する熱交換器である。室外熱交換器１３は、冷媒が流れる伝熱管（図示省略）と、伝熱面積を増大する伝熱フィン（図示省略）とを含む。室外熱交換器１３は、運転時において、伝熱管内の冷媒と、室外ファン１５によって生成される空気流とが熱交換可能なように配置されている。
【００２３】
室外ファン１５は、例えばプロペラファンである。室外ファン１５は、室外ファンモータ１５ａの出力軸に接続されており、室外ファンモータ１５ａに連動して駆動する。室外ファン１５は、駆動すると、外部から室外ユニット１０内に流入し室外熱交換器１３を通過してから室外ユニット１０外へ流出する空気流を生成する。
【００２４】
室外ユニット制御部１７は、ＣＰＵ及びメモリ等から構成されるマイクロコンピュータである。室外ユニット制御部１７は、室外ユニット１０の各アクチュエータの動作を制御する。室外ユニット制御部１７は、各室内ユニット３０の室内ユニット制御部３４（後述）と、通信線ｃｂ１，ｃｂ２及び給電ユニット４０を介して接続されており、相互に信号の送受信を行う。
【００２５】
判断部９０は、ＣＰＵ及びメモリ等から構成されるマイクロコンピュータである。判断部９０は、室外ユニット制御部１７と通信可能である。判断部９０は、給電ユニット４０が作動する場合において、油戻し運転又はデフロスト運転を継続するか否かを判断する。判断部９０の動作については後述する。
【００２６】
（１−２）室内ユニット３０
室内ユニット３０（３０ａ，３０ｂ，３０ｃ）は、対象空間に設置される室内機である。室内ユニット３０は、室外ユニット１０とともに冷媒回路ＲＣを構成している。室内ユニット３０は、主として、室内熱交換器３１と、膨張弁３２（３２ａ，３２ｂ，３２ｃ）と、室内ファン３３と、室内ユニット制御部３４とを有している。
【００２７】
室内熱交換器３１は、冷房運転時には冷媒の蒸発器又は吸熱器として機能し、暖房運転時には冷媒の凝縮器又は放熱器として機能する熱交換器である。室内熱交換器３１は、例えばクロスフィンチューブ熱交換器である。室内熱交換器３１の液側は、膨張弁３２（３２ａ，３２ｂ，３２ｃ）まで延びる冷媒配管に接続されている。室内熱交換器３１のガス側は、ガス連絡配管ＧＰまで延びる冷媒配管に接続されている。室内熱交換器３１は、運転時において、伝熱管（図示省略）内の冷媒と、室内ファン３３によって生成される空気流とが熱交換可能なように配置されている。
【００２８】
膨張弁３２（３２ａ，３２ｂ，３２ｃ）は、開度調整が可能な電動弁である。膨張弁３２は、運転時において、状況に応じて開度が適宜調整され、開度に応じて冷媒を減圧する。各室内ユニット３０は、１つの膨張弁３２を有している。具体的には、室内ユニット３０ａは、膨張弁３２ａを有し、室内ユニット３０ｂは、膨張弁３２ｂを有し、室内ユニット３０ｃは、膨張弁３２ｃを有している。膨張弁３２ａ，３２ｂ，３２ｃは、それぞれ、対応する室内ユニット３０ａ，３０ｂ，３０ｃの運転状況に応じて開度が適宜調整される。
【００２９】
膨張弁３２は、室内熱交換器３１の液側まで延びる冷媒配管、及び、液連絡配管ＬＰまで延びる冷媒配管に接続されている。液連絡配管ＬＰは、室外ユニット１０の第５配管Ｐ５と、各膨張弁３２とを接続する。液連絡配管ＬＰの一端は、第５配管Ｐ５と接続され、液連絡配管ＬＰの他端は、膨張弁３２の数に応じて分岐して各膨張弁３２と個別に接続されている。
【００３０】
室内ファン３３は、例えばターボファン、シロッコファン、クロスフローファン又はプロペラファン等の送風機である。室内ファン３３は、室内ファンモータ３３ａの出力軸に接続されている。室内ファン３３は、室内ファンモータ３３ａに連動して駆動する。室内ファン３３は、駆動すると、室内ユニット３０内に吸い込まれて室内熱交換器３１を通過した後に対象空間へと吹き出される空気流を生成する。
【００３１】
室内ユニット制御部３４は、ＣＰＵ及びメモリ等から構成されるマイクロコンピュータである。室内ユニット制御部３４は、室内ユニット３０の各アクチュエータの動作を制御する。各室内ユニット制御部３４は、室外ユニット制御部１７と、通信線ｃｂ１，ｃｂ２及び給電ユニット４０を介して接続されており、相互に信号の送受信を行う。室内ユニット制御部３４は、リモコン５０と無線通信を行う。
【００３２】
室内ユニット３０の室内ユニット制御部３４は、当該室内ユニット３０の膨張弁３２と通信線（図示省略）を介して接続されており、当該膨張弁３２の開度を調整することができる。
【００３３】
（１−３）給電ユニット４０
給電ユニット４０は、室外ユニット制御部１７及び各室内ユニット制御部３４と、通信線ｃｂ１，ｃｂ２を介して接続されている。具体的には、通信線ｃｂ１は、給電ユニット４０と室外ユニット制御部１７とを接続しており、通信線ｃｂ２は、室内ユニット制御部３４の数に応じて分岐し、給電ユニット４０と各室内ユニット制御部３４とを接続している。通信線ｃｂ１は、給電ユニット４０を介して通信線ｃｂ２に接続されている。
【００３４】
各室内ユニット３０は、建物に設置されている外部の商用電源（図示省略）に接続されている。室内ユニット３０は、正常運転時には商用電源から供給された電力によって稼動している。給電ユニット４０は、複数の室内ユニット３０の少なくとも一部への商用電源が遮断された場合、言い換えると、少なくとも１つの室内ユニット３０への商用電源からの電力供給が停止した場合に、商用電源（以下、単に「電源」と呼ぶ。）が遮断された室内ユニット３０に電力を供給するための補助電源である。通信線ｃｂ２は、室外ユニット制御部１７と各室内ユニット制御部３４との間で送受信される信号の他に、給電ユニット４０から各室内ユニット３０に供給される電力を伝送する。
【００３５】
（１−４）リモコン５０
リモコン５０は、ＣＰＵ及びメモリ等から構成されるマイクロコンピュータを含むリモコン制御部（図示省略）と、空調システム１００へ各種コマンドを入力するための入力キーを含むリモコン入力部（図示省略）とを有するデバイスである。
【００３６】
空調システム１００は、室内ユニット３０と同数のリモコン５０を有している。リモコン５０は、いずれかの室内ユニット３０と一対一で対応づけられている。リモコン５０は、対応する室内ユニット３０の室内ユニット制御部３４と、赤外線及び電波等を用いて無線通信を行う。リモコン５０は、ユーザ及び管理者等によってリモコン入力部へコマンドが入力されると、入力されたコマンドに応じて、所定の信号を室内ユニット制御部３４に送信する。
【００３７】
（１−５）コントローラ６０
空調システム１００では、室外ユニット１０の室外ユニット制御部１７と、各室内ユニット３０（３０ａ，３０ｂ，３０ｃ）の室内ユニット制御部３４とが通信線ｃｂ１，ｃｂ２及び給電ユニット４０を介して接続されることで、コントローラ６０が構成されている。コントローラ６０は、空調システム１００の動作を制御する。
【００３８】
（２）空調システム１００の運転
いずれかのリモコン５０に運転開始コマンドが入力され、コントローラ６０によって冷房運転又は暖房運転に係る制御が実行されると、四路切換弁１２が所定の状態に切り換えられ、圧縮機１１及び室外ファン１５が起動する。その後、運転開始コマンドが入力されたリモコン５０に対応する室内ユニット３０が運転状態（室内ファン３３が稼動している状態）となる。
【００３９】
（２−１）冷房運転
冷房運転時には、四路切換弁１２が冷房サイクル状態（図１の四路切換弁１２の実線で示された状態）に切り換えられる。この状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、及び第４配管Ｐ４を通過して室外熱交換器１３に流入する。
【００４０】
室外熱交換器１３に流入した冷媒は、室外ファン１５が生成する空気流と熱交換して凝縮（又は放熱）する。室外熱交換器１３から流出した冷媒は、第５配管Ｐ５及び液連絡配管ＬＰを通過して、各室内ユニット３０に流入する。
【００４１】
室内ユニット３０に流入した冷媒は、膨張弁３２に流入する。膨張弁３２に流入した冷媒は、膨張弁３２の開度に応じて減圧される。膨張弁３２から流出した冷媒は、室内熱交換器３１に流入し、室内ファン３３によって生成される空気流と熱交換して蒸発（又は吸熱）する。室内熱交換器３１から流出した冷媒は、ガス連絡配管ＧＰを通過して室外ユニット１０に流入する。
【００４２】
室外ユニット１０に流入した冷媒は、第１配管Ｐ１、四路切換弁１２、及び第２配管Ｐ２を通過して、再び圧縮機１１に吸入されて圧縮される。
【００４３】
（２−２）暖房運転
暖房運転時には、四路切換弁１２が暖房サイクル状態（図１の四路切換弁１２の破線で示された状態）に切り換えられる。この状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、第１配管Ｐ１及びガス連絡配管ＧＰを通過して各室内ユニット３０に流入する。
【００４４】
室内ユニット３０に流入した冷媒は、室内熱交換器３１に流入し、室内ファン３３が生成する空気流と熱交換して凝縮（又は放熱）する。室内熱交換器３１から流出した冷媒は、膨張弁３２に流入し、膨張弁３２の開度に応じて減圧される。膨張弁３２から流出した冷媒は、液連絡配管ＬＰを通過して室外ユニット１０に流入する。
【００４５】
室外ユニット１０に流入した冷媒は、第５配管Ｐ５を通過して室外熱交換器１３に流入する。室外熱交換器１３に流入した冷媒は、室外ファン１５によって生成される空気流と熱交換して蒸発（または吸熱）する。室外熱交換器１３から流出した冷媒は、第４配管Ｐ４、四路切換弁１２、及び第２配管Ｐ２を通過して、再び圧縮機１１に吸入されて圧縮される。
【００４６】
（２−３）油戻し運転
油戻し運転は、冷媒回路ＲＣ内に分散した潤滑油を、圧縮機１１の中へ戻すために、冷媒を循環させるものである。油戻し運転においては、冷媒を循環させるため、膨張弁３２が開かれる。油戻し運転時には、室内ファン３３を停止させてもよい。
【００４７】
（２−４）デフロスト運転
デフロスト運転は、暖房運転に起因して室外熱交換器１３に生じた霜を、融解させるものである。デフロスト運転時には、四路切換弁１２を冷房サイクル状態に切り換える。デフロスト運転時には、室内ファン３３を停止させる。
【００４８】
（３）通常制御モードとＭ／Ｔ制御モード
図２は、空調システム１００全体の運転の制御フローを表す。図２に示されるように、空調システム１００全体は、通常制御モード、又は、マルチテナント制御モード（以下、「Ｍ／Ｔ制御モード」と呼ぶ。）で運転する。
【００４９】
通常制御モードでは、１台の室外ユニットと１台の室内ユニットとからなる従来のシステムでも採用されている、通常時における運転制御が行われる。通常制御モードでは、空調システム１００の全ての室内ユニット３０の電源は遮断されておらず、外部の電源から電力の供給を受けている。通常制御モードでは、空調システム１００は、リモコン５０の操作等によって、空調運転を開始して停止状態から定常状態（通常時における運転制御が行われている状態）に移行したり、空調運転を停止して定常状態から停止状態に移行したりする。定常状態から停止状態に移行する際には、必要に応じて、油戻し運転及びデフロスト運転が行われる。
【００５０】
通常制御モードで運転している空調システム１００は、室内ユニット３０の少なくとも一部の電源が遮断された場合、Ｍ／Ｔ制御モードに移行する（図２の実線の矢印を参照）。Ｍ／Ｔ制御モードでは、少なくとも１台の室内ユニット３０は、電源が遮断されて運転停止状態となっている。Ｍ／Ｔ制御モードでは、電源が遮断された室内ユニット３０（以下、「電源遮断室内ユニット３０」と呼ぶ）は、給電ユニット４０から補助電力の供給を受ける。
【００５１】
（４）Ｍ／Ｔ制御モードの詳細
各運転において電源遮断室内ユニット３０が発生した場合のコントローラ６０及び判断部９０の動作について説明する。
【００５２】
（４−１）油戻し運転
図３は、油戻し運転中に電源遮断室内ユニット３０が発生した場合のＭ／Ｔ制御モードのフローチャートである。判断部９０は、油戻し運転を継続するか否かを、電源遮断室内ユニット３０の数、油戻し運転の残り所要時間、給電ユニットの給電可能電力、などに基づいて判断する（Ｓ１０１）。
【００５３】
判断部９０が、油戻し運転を継続すると判断した場合（Ｓ１０１：ＹＥＳ）、コントローラ６０は油戻し運転を継続する（Ｓ１０２）。一方、判断部９０が、油戻し運転を継続しないと判断した場合（Ｓ１０１：ＮＯ）、コントローラ６０は圧縮機１１が吸入する冷媒の湿り度合を取得する（Ｓ１０３）。
【００５４】
次いで、コントローラ６０は、取得した冷媒の湿り度合に基づいて、圧縮機１１を停止させるか否かを決定する（Ｓ１０４）。コントローラ６０が圧縮機１１を停止させないと判断した場合（Ｓ１０４：ＮＯ）、コントローラ６０は、ステップＳ１０３へ戻る。一方、コントローラ６０が圧縮機１１を停止させると判断した場合（Ｓ１０４：ＹＥＳ）、コントローラは圧縮機１１を停止させる。
【００５５】
（４−２）デフロスト運転
図４は、デフロスト運転中に電源遮断室内ユニット３０が発生した場合のフローチャートである。判断部９０は、デフロストを継続するか否かを、電源遮断室内ユニット３０の数、デフロスト運転の残り所要時間、給電ユニットの給電可能電力などに基づいて判断する（Ｓ２０１）。
【００５６】
判断部９０が、デフロスト運転を継続すると判断した場合（Ｓ２０１：ＹＥＳ）、コントローラ６０はデフロスト運転を継続する（Ｓ２０２）。一方、判断部９０が、デフロスト運転を継続しないと判断した場合（Ｓ２０１：ＮＯ）、コントローラ６０は圧縮機１１を停止させる。
【００５７】
なお、デフロスト運転を継続する場合（Ｓ２０２）、通常制御モードと同様のデフロスト運転が行われる。例えば、暖房運転中においてまず膨張弁３２が閉じられ、次いで四路切換弁１２が冷房サイクル状態に切り換えられる。次いで、膨張弁３２が開けられる。こうすることで、四路切換弁の切換による騒音がユーザに聞こえる事態を抑制できる。
【００５８】
（５）特徴
（５−１）
判断部９０が、油戻し運転又はデフロスト運転を継続するか否かを判断する。したがって、油戻し運転又はデフロスト運転の実行中に、電源遮断室内ユニット３０が発生した場合であっても、空調システム１００が損傷しないと考えられる場合は、油戻し運転又はデフロスト運転を実行し続けることができる。
【００５９】
（５−２）
判断部９０が油戻し運転又はデフロスト運転を継続しないと判断する場合、コントローラ６０は圧縮機１１を停止させる。したがって、電源遮断室内ユニット３０の発生時に空調システム１００全体の運転を停止することにより、空調システム１００の損傷を抑制することができる。
【００６０】
（５−３）
コントローラ６０は、圧縮機１１が吸入する冷媒の湿り度合に基づいて圧縮機１１を停止させる。したがって、圧縮機１１が多量の液冷媒を吸入することを抑制し、圧縮機１１の損傷を低減できる。
【００６１】
（６）変形例
以下に上述の実施形態の変形例について説明する。複数の実施形態を組み合わせてもよい。
【００６２】
（６−１）変形例Ａ
上記実施形態では、電源遮断室内ユニット３０の発生時に油戻し運転を継続する場合、すべての室内ユニット３０（３０ａ〜３０ｃ）について同時に油戻し運転を行う。これに代えて、室内ユニット３０を複数のグループに分け、それぞれのグループに対して順次油戻し運転を実行してもよい。図５では、室内ユニット３０は第１グループＧ１（３０ａ、３０ｂ）及び第２グループ（３０ｃ）に分けられる。
【００６３】
図６に示すように、判断部９０が油戻し運転を継続すると判断する場合（Ｓ１０１：ＹＥＳ）、コントローラ６０は第１グループ閉鎖制御（Ｓ１０２−１）を実行する。第１グループ閉鎖制御では、第１グループＧ１に属する室内ユニット３０（３０ａ、３０ｂ）の膨張弁３２（３２ａ、３２ｂ）が閉じられるとともに、第２グループＧ２に属する室内ユニット３０（３０ｃ）の膨張弁３２（３２ｃ）が開けられる。この状態で、油戻し運転が実行される。
【００６４】
次いで、コントローラ６０は第２グループ閉鎖制御（Ｓ１０２−２）を実行する。第２グループ閉鎖制御では、第１グループＧ１に属する室内ユニット３０（３０ａ、３０ｂ）の膨張弁３２（３２ａ、３２ｂ）が開けられるとともに、第２グループＧ２に属する室内ユニット３０（３０ｃ）の膨張弁３２（３２ｃ）が閉められる。この状態で、油戻し運転が実行される。
【００６５】
（６−２）変形例Ｂ
上記実施形態では、電源遮断室内ユニット３０の発生時にデフロスト運転を継続する場合、通常制御モードと同様のデフロスト運転を実行する。これに代えて、Ｍ／Ｔ制御モードにおいては通常制御モードとは異なるデフロスト運転を実行してもよい。
【００６６】
例えば、図７に示すように、暖房運転中に判断部９０がデフロスト運転を継続すると判断する場合（Ｓ２０１：ＹＥＳ）、コントローラ６０は、室内ユニット３０の膨張弁を開いたまま、四路切換弁１２を冷房サイクル状態に切り換える（Ｓ２０２−１）。
【００６７】
この構成によれば、騒音処理のために膨張弁を閉じる動作が省かれるので、給電ユニット４０が膨張弁３２に供給する電力が少なくてすむ。
【００６８】
（６−３）変形例Ｃ
室外ユニット１０は、図１に示されていない他の構成要素をさらに有してもよい。図８は、本変形例における空調システム１００の概略構成図である。図８において、室外ユニット１０は、オイルセパレータ１４、膨張弁１６、レシーバ１８及びアキュームレータ１９をさらに有する。
【００６９】
オイルセパレータ１４は、第３配管Ｐ３に取り付けられる。オイルセパレータ１４は、圧縮機１１から吐出された高圧のガス冷媒から、冷媒の中に混入している潤滑油を除去する。
【００７０】
膨張弁１６は、第５配管Ｐ５に取り付けられる。膨張弁１６は、開度調整が可能な電動弁である。膨張弁１６は、空調システム１００の運転時において、状況に応じて開度が適宜調整され、開度に応じて冷媒を減圧する。
【００７１】
レシーバ１８は、第５配管Ｐ５に取り付けられる。レシーバ１８は、膨張弁１６と液連絡配管ＬＰとの間に取り付けられる。レシーバ１８は、空調システム１００の運転状況に応じて、室外熱交換器１３及び室内熱交換器３１内の冷媒量の変化を吸収するために、冷媒を一時的に貯留する。レシーバ１８は、冷媒回路ＲＣを循環する冷媒に含まれる水分及び異物を除去するための機構を有してもよい。
【００７２】
アキュームレータ１９は、第２配管Ｐ２に取り付けられる。アキュームレータ１９は、冷媒回路ＲＣを流れる気液混合冷媒を、ガス冷媒と液冷媒とに分離し、ガス冷媒のみを圧縮機１１の吸入ポートに送る。
【００７３】
なお、図８において、室外ユニット１０は、レシーバ１８又はアキュームレータ１９を有していなくてもよい。
【００７４】
実施形態及び変形例Ａ〜Ｂにおいて説明した内容は、図８に示される空調システム１００においても適用可能である。
【００７５】
（６−４）変形例Ｄ
図９は変形例Ｄに係る空調システム１００の動作である。
【００７６】
いかなる運転中であれ、電源遮断室内ユニット３０が発生した場合に、Ｍ／Ｔ制御モードは開始する（Ｓ３００）。次いで、コントローラ６０は圧縮機１１が吸入する冷媒の湿り度合を取得する（Ｓ３０１）。次いで、判断部９０は、取得した冷媒の湿り度合、又は、それに基づく湿り度合いの将来的な予測が異常であるか否かを判断する（Ｓ３０２）。異常である場合（Ｓ３０２：ＹＥＳ）、判断部９０はコントローラ６０に対し、圧縮機１１を停止させる旨の指令を送る（Ｓ３０５）。これは、圧縮機１１の破損を防ぐためである。湿り度合い等が正常である場合（Ｓ３０２：ＮＯ）、コントローラ６０は、電源遮断室内ユニット３０の膨張弁の開度の情報を取得する（Ｓ３０３）。判断部９０は、取得した開度の情報から、電源遮断室内ユニット３０おけるドレン水量、又はドレン水量の将来的な予測を導出する。次いで、判断部９０は、導出された値に基づいて、電源遮断室内ユニット３０においてドレン水があふれるおそれの有無を判断する（Ｓ３０４）。ドレン水あふれのおそれがある場合（Ｓ３０４：ＹＥＳ）、判断部９０はコントローラ６０に対し、圧縮機１１を停止させる旨の指令を送る（Ｓ３０５）。これは、電源遮断室内ユニット３０においてドレン水をあふれさせないためである。ドレン水あふれのおそれがない場合（Ｓ３０４：ＮＯ）、これまでに説明した実施形態又は変形例におけるステップＳ１００又はステップＳ２００へ移行する。
【００７７】
実施形態及び変形例Ａ〜Ｃにおいて説明した内容は、図９のフローチャートを用いて説明した空調システム１００においても適用可能である。
【００７８】
＜むすび＞
以上、本開示の実施形態を説明したが、特許請求の範囲に記載された本開示の趣旨及び範囲から逸脱することなく、形態や詳細の多様な変更が可能なことが理解されるであろう。
【符号の説明】
【００７９】
１０      室外ユニット
１１      圧縮機
１２      四路切換弁
３０      室内ユニット
３２      膨張弁
４０      給電ユニット
６０      コントローラ
９０      判断部
１００      空調システム
ＲＣ      冷媒回路（冷媒サイクル）
【先行技術文献】
【特許文献】
【００８０】
【特許文献１】特開２０１３−４０６９８号公報
【図１】
2020197370.tif 000003
【図２】
2020197370.tif 000004
【図３】
2020197370.tif 000005
【図４】
2020197370.tif 000006
【図５】
2020197370.tif 000007
【図６】
2020197370.tif 000008
【図７】
2020197370.tif 000009
【図８】
2020197370.tif 000010
【図９】
2020197370.tif 000011
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
圧縮機（１１）を含む室外ユニット（１０）、及び複数の室内ユニット（３０）を含む冷媒サイクル（ＲＣ）と、
複数の前記室内ユニットの少なくとも一部への電源が遮断される場合に、前記少なくとも一部へ補助電源の供給を行う給電ユニット（４０）と、
少なくとも前記圧縮機を制御するコントローラ（６０）と、
複数の前記室内ユニットの前記少なくとも一部への電源が遮断される場合に、
前記圧縮機を停止させる、及び、
前記圧縮機に運転を継続させる、
の一方の判断を行い、前記判断に対応する指令を前記コントローラに送る判断部（９０）と、
を備え、
前記コントローラは、少なくとも前記圧縮機に、前記冷媒サイクルにおける油戻し運転又はデフロスト運転を実行させ、
前記判断部は、前記給電ユニットが前記少なくとも一部に前記補助電源を供給する場合において、前記油戻し運転又は前記デフロスト運転を継続するか否かを判断する、
空調システム。
【請求項２】
前記判断部は、
前記圧縮機が吸入する冷媒の湿り度合又は前記湿り度合いの予測、及び
前記複数の室内ユニットの前記少なくとも一部におけるドレン水量又は前記ドレン水量の予測、
の少なくとも一方に基づいて前記判断を行う、
請求項１に記載の空調システム。
【請求項３】
前記判断部は、
前記複数の室内ユニットの前記少なくとも一部における前記ドレン水量又は前記ドレン水量の前記予測、及び、
前記給電ユニットの給電容量、
に基づいて前記判断を行う、
請求項２に記載の空調システム。
【請求項４】
前記コントローラが前記冷媒サイクルに前記油戻し運転を実行させている際に、前記判断部が前記油戻し運転を継続しないと判断する場合、前記コントローラは前記圧縮機を停止させる、
請求項１から３のいずれか１項に記載の空調システム。
【請求項５】
前記コントローラは、前記圧縮機が吸入する冷媒の湿り度合に基づいて、前記圧縮機を停止させる、
請求項４に記載の空調システム。
【請求項６】
複数の前記室内ユニットの各々は膨張弁（３２）を含み、
前記コントローラは、複数の前記室内ユニットを少なくとも２つのグループ（Ｇ１、Ｇ２）に分け、
前記コントローラが前記冷媒サイクルに前記油戻し運転を実行させている際に、前記判断部が前記油戻し運転を継続すると判断する場合、前記コントローラは、
第１グループ（Ｇ１）に属する前記室内ユニットの前記膨張弁を閉じ、かつ、第２グループ（Ｇ２）に属する前記室内ユニットの前記膨張弁を開ける、第１グループ閉鎖制御と、
前記第１グループに属する前記室内ユニットの前記膨張弁を開け、かつ、前記第２グループに属する前記室内ユニットの前記膨張弁を閉じる、第２グループ閉鎖制御と、
を順に実行する、
請求項１から５のいずれか１項に記載の空調システム。
【請求項７】
前記室外ユニットは、四路切換弁（１２）をさらに含み、
前記コントローラが前記冷媒サイクルに前記デフロスト運転を実行させている際に、前記判断部が前記デフロスト運転を継続しないと判断する場合、前記コントローラは前記圧縮機を停止させる、
請求項１から６のいずれか１項に記載の空調システム。